(57)【特許請求の範囲】
【請求項１】
光学画像をＸ線画像とスーパーインポーズするための方法において、
・Ｘ線エネルギー源を、空間的に対象物を通る点からＸ線検知板に向け指向し、Ｘ線画像を該Ｘ線検知板に形成し、
・光学カメラの光学的中心点を、Ｘ線源の投影中心点と空間的に同じ点に位置決めし、ここで当該位置決めでは、Ｘ線エネルギーに対して透過性であり、前記Ｘ線源と前記対象物との間に配置されている少なくとも一つのミラーが用いられ、
・前記対象物の光学画像を前記空間的に同じ点から前記少なくとも一つのミラーを用いて獲得し、
・一方の画像を他方の画像に、当該２つの画像が一致するように移動し、
・Ｘ線画像を光学画像にスーパーインポーズし、
前記移動するステップは、
・少なくとも４つのオンプレーンマーカを前記Ｘ線検知板上に位置決めするステップと、
・該オンプレーンマーカのＸ線画像および光学画像を獲得するステップと、
・一方の画像を他方の画像に、前記４つのオンプレーンマーカを基準にして移動するステップを有する、ことを特徴とする方法。
【請求項２】
Ｘ線エネルギー源を、空間的に対象物を通る点からＸ線検知板に向け指向し、Ｘ線画像を該検知板に形成するための手段と、
光学カメラの光学的中心点を、Ｘ線源の投影中心点と空間的に同じ点に位置決めする手段と、
前記対象物の光学画像を前記空間的に同じ点から獲得するための手段と、
一方の画像を他方の画像に、当該２つの画像が一致するように移動することで、Ｘ線画像を光学画像にスーパーインポーズさせる手段とを有し、
前記位置決めする手段および獲得する手段は、Ｘ線エネルギーに対して透過性であり、前記Ｘ線源と前記対象物との間に配置されている少なくとも一つのミラーを有し、
前記画像を移動し、スーパーインポーズするための手段は、少なくとも４つのオンプレーンマーカを前記Ｘ線検知板上に有することを特徴とする装置。
【請求項３】
前記光学画像を獲得するための手段は、光学カメラを有する請求項２記載の装置。
【発明の詳細な説明】
【０００１】
【発明の属する技術分野】
本発明は、Ｘ線とビデオ画像とを関連させるためのアライメント方法およびアライメント装置に関する。
【０００２】
【従来の技術】
対象物のＸ線画像に加えて、相応のビデオ画像を得ることがしばしば有利である。２つの画像を組み合わせて合成画像が得られれば、Ｘ線画像により明らかにされたフューチャがビデオ画像に表示された表面フューチャにどのように関連するかを一目で知ることができる。
【０００３】
【発明が解決しようとする課題】
本発明の課題は、Ｘ線画像と光学画像とを関連させる方法および装置を提供することである。
【０００４】
【発明が解決しようとする課題】
上記課題は本発明により、一方の画像を他方の画像にスーパーインポーズすることにより解決される。
【０００５】
【発明の実施の形態】
ビデオ画像を同じ対象物のＸ線画像と関連させるための１つの方法では、それぞれの画像を空間的に同じポイントから獲得する。ビデオカメラまたは光学カメラをＸ線源と空間的に同じ点に配置し、光学画像の部分をＸ線透過性ミラーにより偏向することができる。カメラはレーザを使用したアライメント手続きにより配向され、Ｘ線源の位置と光学的に等価の点に配置されることを保証する。スーパーインポーズは１つの画像を他方の画像にワープすることによって達成される。
【０００６】
【実施例】
図１では、患者１０が台の上に横たわっており、その台の下にはＸ線検知板２０がある。Ｘ線源３０は患者の上方に配置されており、Ｘ線エネルギーを投影中心点３２と空間的に同じ点から放射する。エネルギーは患者を通過してＸ線検知板２０に達し、Ｘ線画像を形成する。光学カメラ４０，例えばビデオカメラもまた画像を得るために配置されており、この画像はＸ画像と結合され、合成画像を形成する。
【０００７】
Ｘ線画像と結合することのできるビデオ画像を得るために、ビデオカメラ４０の光学的中心点はＸ線源３０の投影中心点３２と実際上、空間的に同じ点に配置されている。付加的にカメラの光軸もまた仮想線と一直線に並べられており、この仮想線はＸ線源投影中心点３２とＸ線検知板２０との間に延在する。Ｘ線源３０とビデオカメラ４０とは物理的に同じ空間を占有することができないから、ミラーを使用して、ビデオカメラ４０をＸ線源２０と同じ視点または投影点に置く。
【０００８】
ミラーＭ１はＸ線を透過するが、可視波長は反射する。このミラーＭ１はＸ線源３０への経路に所定の角度を以て配置され、光学画像をＸ線経路から偏向する。第２のミラーＭ２は反射された画像の経路に、光学画像をビデオカメラ４０に偏向するような角度で配置することができる。図１には、２つのミラーＭ１とＭ２がＸ線源３０の経路に対して４５゜で配置されているが、他の角度を使用することもできる。このようにして可視画像はミラーＭ１の表面から反射され、ミラーＭ２により再び反射される。
【０００９】
ミラーの位置は、ミラーＭ１とＭ２の間の部分ｒ１の長さにミラーＭ２とビデオカメラ４０の光学的中心点４２との間の部分の長さを加えたものが、ミラーＭ１からＸ線源３０のＸ線投影中心点３２までの長さと等しくなるよう選択することができる。
【００１０】
択一的に、ビデオカメラ４０がＸ線経路の片側に配置されるなら、第２のミラーＭ２を省略することができる。またミラーを使用する代わりにプリズム構造、または他のＸ線透過性の光偏向機構を使用して、所望の光学経路長と偏向角度を得ることができる。
【００１１】
ミラーＭ１とＭ２を注意深くアライメントしても、Ｘ線源投影中心点３２とカメラの光学的中心点４２とを空間的に等価の点に数度の精度で配置することは困難である。したがってカメラ４０をＸ線源３０を基準にして精確に位置決めするための手段が必要である。
【００１２】
２つの画像を相関させるための２つの方法は、第１の面にある１つの２次元画像を第２の面上にワープさせる手続きを使用する。Ｘ線検知板２０には少なくとも４つの基準デバイスが設けられており、これは正方形または他の適切な構成に配置されたマーカパターン１２の形状を有する。マーカの代わりに、Ｘ線画像の境界を使用することもできる。マーカ１２はスチールのような材料から作製されており、連続する黒点像としてＸ線画像およびビデオ画像に現れる。ワープされる画像におけるマーカ１２のパターンを基準にして、画像を第２の面にワープするために実行すべき変換が繰り返し検出される。
【００１３】
Ｘ線画像をＸ線検知板２０からマーカ１２のビデオ画像にワープすることは、平面変換Ｈをマーカ１２のＸ線画像に適用することによって達成される。ここではマーカのＸ線画像がマーカパターンのビデオ画像でのアスペクトおよび寸法と一致するように行われる。Ｘ線検知板２０上のＸ線画像における各ピクセル毎に、Ｘ線検知板２０の所定の個所に対して計算されたマトリクスＨをそのピクセルの位置と乗算し、ビデオ画像における相応するピクセルの位置を形成する。
【００１４】
ワープ演算は次の式により表すことができる：
ｍiＮ＝Ｈｍi
ここで：ｍiＮは、ビデオ画像におけるピクセル；
Ｈは、Ｘ線画像にあるピクセルをビデオ画像にマッピングする平面変換マトリクス；そして
ｍiは、Ｘ線画像におけるピクセルである。
【００１５】
マトリクスＨは当業者には周知の技術により計算することができる。このような方法は例えば、ＵＳＰ５８２１９３４およびＵＳＰ５８４５６３９、並びにWolberg, "Digital Image Warping", IEEE Computer Society Press, Los Alamitos, California 1990 に記載されている。
【００１６】
ワープを使用する２つの方法では、少なくとも２つの付加的マーカ８０が、検知板２０から離され、Ｘ線源３０とＸ線検知板２０（図１参照）との間に配置される。このことを実現する１つの手段は、“オフプレーン”マーカ８０をＸ検知板２０の上のプレキシガラス片に配置することである。
【００１７】
第１の方法では、図２のフローチャートに示されているように、オフプレーンマーカ８０のＸ線画像と、Ｘ線検知板２０上にあるマーカ１２のＸ線画像とが撮影される。次にオフプレーンマーカ８０のビデオ画像と、Ｘ線検知板２０上にあるマーカ１２のビデオ画像とが撮影される。Ｘ線検知板２０にあるマーカ１２のビデオ画像を用いて、Ｈに対する値が計算される。次に、Ｘ線画像がビデオ画像上にワープされ、オフプレーンマーカ８０の投影された位置と可視的に検知された位置とが比較される。これらの位置が一致すれば、ビデオカメラ４０の光学的中心点４２はＸ線源３０の投影中心点３２と空間的に等価の位置にある。しかしこれらの位置が一致しなければ、ビデオカメラ４０の配向が、ビデオカメラの光学的中心点４２がＸ線源３０の投影中心点３２に近づくように調整される。このプロセスは画像が一致するまで繰り返され、ビデオカメラ４０の配向は固定される。
【００１８】
第２の方法では、図３のフローチャートに示されているように、オフプレーンマーカ８０のＸ線画像が撮影される。次にマーカ９０の第２のセット（以下、“投影マーカ”と称する）がＸ線検知板２０の上に配置される。この配置点はオフプレーンマーカ８０がＸ線源３０からのエネルギーにより投影される点である。したがってＸ線画像にはオフプレーンマーカ８０と相応するオンプレーン投影マーカ９０とがＸ線画像上に１つとして現れることとなる。
【００１９】
次にＸ線検知板２０のビデオ画像を撮影する。オフプレーンマーカ８０は検知板２０の上に懸架されているから、これらはビデオ画像にも現れる。ビデオ画像は、オンプレーン投影マーカ９０のビデオ画像が相応するオフプレーンマーカ８０と一致するか否かについて検査される。一致すれば、光学的中心点４２と投影中心点３２とは空間的に同じ点を実質上、共有している。しかし画像が一致しなければ、ビデオカメラ４０の配向を調整して、オフプレーンマーカ８０とオンプレーン投影マーカ９０の画像が一致するようにし、画像が一致するまで別のビデオ画像を撮影し、評価し、一致したところでカメラの配向を固定する。最後にオンプレーンマーカ１２を使用して、Ｈの値を計算し、Ｘ線画像をビデオ画像にワープしてスーパーインポーズを達成する。
【００２０】
ビデオカメラ４０を位置決めするための第３の方法はレーザを使用する。レーザ源７０はＸ線検知板２０の中心に配置され、Ｘ線源３０の投影中心点３２に向けられる。これは図４に示されている。
【００２１】
ミラーＭ１とミラーＭ２はレーザ光を反射し、ビデオカメラ４０に向け、ビデオカメラ４０のレンズ４４の表面に当てる。ビデオカメラ４０の位置は、光源７０に戻るレーザ光が光源７０から発する光と一致する（またはほぼ一致する）まで調整される。このことは可視的に、反射されたビームがＸ線検知板２０に到達する個所を観察することにより確認できる。次に画像をアライメントし、スーパーインポーズを達成するために、Ｘ線画像をビデオ画像にワープすることができる。
【００２２】
前述の変形実施例を本発明に適切に使用することができる。例えば２つのＸ線源とビデオカメラとの組合せを使用して、対象物の立体表示を達成することができる。オフプレーンマーカ８０の代わりにいずれかの対象物を使用し、Ｘ線的および光学的な少なくとも２つの基準可視点を呈示することもできる。またＸ線画像をビデオ画像にワープする代わりに、ビデオ画像をＸ線画像にワープし、スーパーインポーズを達成することができる。上に述べたように光学画像はビデオカメラによって撮影される。実際には、いずれの光学カメラ、静止カメラ、デジタルカメラ、ＣＣＤ等を本発明の装置および方法と組み合わせて使用することができる。さらにＸ線画像は、単Ｘ線露光だけでなく、リアルタイムのＸ線蛍光透視露光も含むものである。最後に、ここの記載した本発明の方法はリアルタイムで実行すべきである。
【図面の簡単な説明】
【図１】本発明の装置の概念図である。
【図２】本発明のビデオカメラアライメント手続きのフローチャートである。
【図３】本発明のビデオカメラアライメント手続きの別のフローチャートである。
【図４】レーザアライメント装置の概略図である。
【符号の説明】
１０  患者
２０  Ｘ線検知板
３０  Ｘ線源
３２  投影中心点
４０  光学カメラ
Ｍ１，Ｍ２  ミラー
【図１】
0004787934.tif 000002
【図２】
0004787934.tif 000003
【図３】
0004787934.tif 000004
【図４】
0004787934.tif 000005